(57)【特許請求の範囲】
【請求項１】
部品を収容する筐体の開口を覆い且つ前記筐体に対して着脱自在に設けるとともに前記部品に当接する部分を弾力性を有する部材で形成し、前記筐体を覆った際に上部内面を前記部品に当接せしめ、該部品に押し付けた際に弾性変形して該部品を前記開口側から押圧する弾性押圧部として形成してなる
ことを特徴とするカバー。
【請求項２】
請求項１に記載のカバーにおいて、
前記弾性押圧部の形状として、略蛇腹状となる形状に形成するとともに、前記部品を押圧する前の前記弾性押圧部の形状として、外観基準位置よりも内側に凸となる形状に形成し、さらに前記部品を押圧した時の形状としては、前記外観基準位置を超えない範囲の変形を許容する形状に形成する
ことを特徴とするカバー。
【請求項３】
請求項１に記載のカバーにおいて、
前記弾性押圧部の形状として、ヒンジを介してカバー本体に連成され且つ前記ヒンジの部分で前記カバー本体内面側に折り返すと略ブリッジ状となる形状に形成する
ことを特徴とするカバー。
【請求項４】
請求項１ないし請求項３いずれか記載のカバーにおいて、
前記筐体の壁を挟持する部分としての挟持部を複数設ける
ことを特徴とするカバー。
【請求項５】
請求項１ないし請求項４いずれか記載のカバーにおいて、
前記筐体及び前記部品を、電線の中間に取り付く電子部品内蔵ユニットのケース及び該ケースに収容される電子部品とする
ことを特徴とするカバー。
【発明の詳細な説明】
【技術分野】
【０００１】
本発明は、部品を収容した状態の筐体開口を覆うカバーに関する。
【背景技術】
【０００２】
筐体内に部品を収容した状態で筐体の開口をカバーにより覆うものの一例としては、下記特許文献１に開示された電子部品内蔵ユニットが知られている。この電子部品内蔵ユニットは、ノイズを除去するためのノイズ防止具として提案されている。例えば、自動車等に装備される各種センサ等では、ホーンやワイパモータのような高周波成分を持った雑音源からの伝導ノイズや、ネオンサイン等からの外来ノイズや、誘導ノイズ等が電線を伝わって入力されることがあり、これによって誤作動を引き起こしてしまうという恐れを有することから、電子部品内蔵ユニットは有用のものとなっている。以下、特許文献１に開示された電子部品内蔵ユニットについて簡単に説明をする。
【０００３】
図１０において、引用符号１は電線を示している。また、引用符号２は電線１の中間３に接続される電子部品内蔵ユニットを示している。電子部品内蔵ユニット２は、電子部品収納凹部及び嵌合接続凹部を有するケース４と、ヒンジ５を介してケース４に連成され、電子部品収納凹部を覆うカバー６と、このカバー６に形成され、取付相手先に係止される樹脂係止部７と、上記電子部品収納凹部に収納されるとともに、一対のリード８ａ、８ｂが上記嵌合接続凹部にのびる電子部品９と、上記嵌合接続凹部に収納され、一方のリード８ａに接触する中継端子１０と、上記嵌合接続凹部に収納され、他方のリード８ｂに接触するとともに、上記嵌合接続凹部から突出する部分がアース部１１として形成される金属製のアース端子１２と、電線側端子１３及び端子カバー１４を有して電線１の中間に取り付くとともに、電線側端子１３が中継端子１０に接触し、且つ端子カバー１４が上記嵌合接続凹部に嵌合する端子カバー組付電線１５とを含んで構成されている。
【０００４】
電子部品内蔵ユニット２は、樹脂係止部７とアース部１１との間に、上記嵌合接続凹部とこれに嵌合する端子カバー１４とが位置するように形成されている。端子カバー１４と上記嵌合接続凹部は、引用符号１６の端子カバー側嵌合部と、引用符号１７の突起係止部とで嵌合するように形成されている。
【０００５】
電子部品内蔵ユニット２は、車両への取り付けの際に、先ず樹脂係止部７を取付相手先の金属製の座面に挿入して仮固定をし、次にアース端子１２のアース部１１をネジで締め付けて接続することにより全体の取り付け固定が完了するようになっている。
【先行技術文献】
【特許文献】
【０００６】
【特許文献１】特開２００９−２２０９７号公報
【発明の概要】
【発明が解決しようとする課題】
【０００７】
ところで、上記電子部品内蔵ユニット２のような筐体内に部品を収容するものにあっては、外部から振動や衝撃が伝わると、これにより筐体とカバーとの間に生じるスペースによって部品が振れてしまうという可能性があり、振れが大きい又は振れが続く場合には、部品等に負荷が掛かってしまうという問題点や、異音が発生してしまうという問題点を有している（尚、上記電子部品内蔵ユニット２として問題点を挙げるとすれば、電子部品９の振れにより異音が発生してしまうという問題点や、リード８ａ、８ｂの溶接等に影響を来してしまうという問題点、さらにはノイズ除去に影響を来してしまうという問題点を有している）。
【０００８】
本発明は、上記した事情に鑑みてなされたもので、外部から振動や衝撃が伝わった時の部品の振れを抑制したり、筐体内での部品のガタ付きを抑制したりすることが可能なカバーを提供することを課題とする。
【課題を解決するための手段】
【０００９】
上記課題を解決するためになされた請求項１記載の本発明のカバーは、部品を収容する筐体の開口を覆い且つ前記筐体に対して着脱自在に設けるとともに前記部品に当接する部分を弾力性を有する部材で形成し、前記筐体を覆った際に上部内面を前記部品に当接せしめ、該部品に押し付けた際に弾性変形して該部品を前記開口側から押圧する弾性押圧部として形成してなることを特徴とする。
【００１０】
このような特徴を有する本発明によれば、筐体にカバーを組み付けると、筐体に収容された状態の部品に対しカバーの弾性押圧部が弾性的に接触して部品を押圧する。本発明によれば、外部からの振動や衝撃が筐体やこの内部の部品に伝わったとしても、弾性押圧部の存在によって部品の振れが抑制される。また、本発明によれば、弾性押圧部が部品を押圧することから、例えば作業の際の部品のガタ付きが抑制される。
【００１１】
請求項２記載の本発明のカバーは、請求項１に記載のカバーにおいて、前記弾性押圧部の形状として、略蛇腹状となる形状に形成するとともに、前記部品を押圧する前の前記弾性押圧部の形状として、外観基準位置よりも内側に凸となる形状に形成し、さらに前記部品を押圧した時の形状としては、前記外観基準位置を超えない範囲の変形を許容する形状に形成することを特徴とする。
【００１２】
このような特徴を有する本発明によれば、略蛇腹状となる形状の弾性押圧部が部品に対し弾性的に接触してこれを押圧する。本発明によれば、弾性押圧部の形状に特徴を持たせていることから、弾性押圧部を設けていても筐体の外観寸法に変わりはなく、また、筐体を所定位置に設置する場合に、この設置スペースを大きくする必要もない。略蛇腹状となる形状の弾性押圧部であることから、部品点数が増大することもない。
【００１３】
請求項３記載の本発明のカバーは、請求項１に記載のカバーにおいて、前記弾性押圧部の形状として、ヒンジを介してカバー本体に連成され且つ前記ヒンジの部分で前記カバー本体内面側に折り返すと略ブリッジ状となる形状に形成することを特徴とする。
【００１４】
このような特徴を有する本発明によれば、略ブリッジ状となる形状の弾性押圧部が部品に対し弾性的に接触してこれを押圧する。本発明によれば、弾性押圧部の形状に特徴を持たせていることから、弾性押圧部を設けていても部品点数が増大することはない。また、本発明によれば、カバー本体の内側に弾性押圧部を設けていることから、筐体の外観寸法に変わりはなく、筐体を所定位置に設置する場合に、この設置スペースを大きくする必要もない。
【００１５】
請求項４記載の本発明のカバーは、請求項１ないし請求項３いずれか記載のカバーにおいて、前記筐体の壁を挟持する部分としての挟持部を複数設けることを特徴とする。
【００１６】
このような特徴を有する本発明によれば、筐体にカバーを組み付けると、カバーは筐体の壁を挟持部によって挟持する。本発明によれば、筐体の壁を挟持部によって挟持することにより、弾性押圧部が弾性変形してもこの影響でカバーが外れてしまうようなことはない。
【００１７】
請求項５記載の本発明のカバーは、請求項１ないし請求項４いずれか記載のカバーにおいて、前記筐体及び前記部品を、電線の中間に取り付く電子部品内蔵ユニットのケース及び該ケースに収容される電子部品とすることを特徴とする。
【００１８】
このような特徴を有する本発明によれば、電線の中間に取り付く電子部品内蔵ユニットに適用される。
【発明の効果】
【００１９】
請求項１に記載された本発明によれば、外部から振動や衝撃が伝わった時の筐体内における部品の振れを弾性押圧部によって抑制することができるという効果を奏する。これにより、部品等への負荷を低減することや、異音の発生を防止することができるという効果を奏する。また、本発明によれば、弾性押圧部による押圧によって部品のガタ付きを抑制することができるという効果を奏する。
【００２０】
請求項２、３に記載された本発明によれば、弾性押圧部の形状に特徴を持たせることにより、筐体の外観寸法を変えることがなく、また、筐体の設置スペースを大きくする必要もなく、さらには部品点数を増大させることもないことから、より良い形態のカバーを提供することができるという効果を奏する。
【００２１】
請求項４に記載された本発明によれば、挟持部を設けることにより、カバーの外れを防止することができるという効果を奏する。
【００２２】
請求項５に記載された本発明によれば、電子部品内蔵ユニットに適用することで、外部から振動や衝撃が伝わった時の電子部品の振れを弾性押圧部によって抑制することができるという効果を奏する。これにより、電子部品の例えば溶接部分への負荷を低減することや、異音の発生を防止することができるという効果を奏する。また、本発明によれば、弾性押圧部によって電子部品を押圧することにより、例えば溶接する際の電子部品のガタ付きを抑制することができるという効果を奏する。これにより、作業性の向上を図ることができるという効果を奏する。
【図面の簡単な説明】
【００２３】
【図１】本発明のカバーを含む電子部品内蔵ユニットの斜視図（実施例１）である。
【図２】電子部品内蔵ユニットの正面図である。
【図３】電子部品内蔵ユニットの斜視図（底面側から見た斜視図）である。
【図４】カバーの斜視図である。
【図５】弾性押圧部の位置での電子部品内蔵ユニットの断面図である。
【図６】本発明のカバーを含む電子部品内蔵ユニットの斜視図（実施例２）である。
【図７】図６のカバーの図であり、（ａ）は斜視図、（ｂ）は弾性押圧部をカバー本体内面側に折り返す前の状態を示す斜視図である。
【図８】図６のカバーの図であり、（ａ）は斜視図、（ｂ）は弾性押圧部の位置での断面図である。
【図９】弾性押圧部の位置での電子部品内蔵ユニットの断面図である。
【図１０】従来例の電子部品内蔵ユニットの分解斜視図である。
【発明を実施するための形態】
【００２４】
筐体内に部品を収容した状態で筐体の開口をカバーにより覆い、この時、カバーに設けた弾性押圧部によって部品を押圧する。部品は、弾性押圧部によって押圧されることにより、振れやガタ付きが抑制される。
【実施例１】
【００２５】
以下、図面を参照しながら第１実施例を説明する。図１は本発明のカバーを含む電子部品内蔵ユニットの斜視図である。また、図２及び図３は電子部品内蔵ユニットの図、図４は本発明のカバーの斜視図、図５は弾性押圧部の位置での電子部品内蔵ユニットの断面図である。
【００２６】
図１ないし図３において、引用符号２１は電子部品内蔵ユニットを示している。この電子部品内蔵ユニット２１は、ノイズを除去するためのノイズ防止具であって、例えば自動車等の車両に配索される電線２２の中間に接続・配置されている。電子部品内蔵ユニット２１は、図１０に示す従来例の電子部品内蔵ユニット２と基本的に同じ機能を有している。相違点としては、図１０の電子部品内蔵ユニット２は一本の電線１に対して接続され、電子部品内蔵ユニット２１は二本の電線２２に対して接続される点で相違している。また、電子部品内蔵ユニット２１は本発明のカバー２３を有する点で相違している。
【００２７】
引用符号２４はケース（筐体）を示している。このケース２４の内部（電子部品収納凹部２５）には、電子部品（部品）が上下二段に重なって収容されている（図５参照。数は一例であるものとする）。電子部品は、本明細書において既知のコンデンサが用いられており、図５の上方を上段コンデンサ２６、下方を下段コンデンサ２７と呼ぶものとする。尚、ノイズ防止具として用いない場合には、別の用途としてダイオードや抵抗を電子部品の一例に挙げることができるものとする。
【００２８】
上段コンデンサ２６及び下段コンデンサ２７の各一方のリードは、図示しない中継端子にそれぞれ溶接されている。また、各他方のリードは、引用符号２８で示すアース端子にそれぞれ溶接されている。アース端子２８は、リードを溶接する部分がケース２４の内部に入り込むように形成されている。上記の各溶接部分は、ケース２４に嵌合する溶接部分カバー２９によって保護されている。
【００２９】
引用符号３０はアース端子２８に嵌合する樹脂係止部を示している。また、引用符号３１は端子カバーを示している。この端子カバー３１と電線２２との間には、電線側端子（図示省略）が設けられている。電線側端子は、上記図示しない中継端子に接続されるようになっている。端子カバー３１は、ケース２２の嵌合接続凹部３２に嵌合するようになっている。
【００３０】
図１ないし図５において（主に図４において）、本発明のカバー２３は、ケース２４における電子部品収納凹部２５の開口を覆い、且つケース２４に対して着脱自在となる合成樹脂製の部材であって、カバー本体３３と、このカバー本体３３の両側に設けられる係止部３４、３５とを有している。また、カバー２３は、電子部品収納凹部２５に収容された上段コンデンサ２６を直接押圧するとともに、下段コンデンサ２７を間接的に押圧する弾性押圧部３６を有している。さらに、カバー２３は、ケース２４の壁３７を挟持する挟持部３８、３９を複数組有している。カバー２３に関し、もう少し詳しく説明する。
【００３１】
カバー本体３３は、電子部品収納凹部２５の開口を覆う部分であって、このほぼ全体が弾性押圧部３６となるように形成されている。弾性押圧部３６は、この形状として、略蛇腹状となる形状に形成されている。また、弾性押圧部３６は、上段コンデンサ２６及び下段コンデンサ２７を押圧する前の形状として、外観基準位置Ｐよりも内側に凸となる形状に形成されている。さらに、弾性押圧部３６は、上段コンデンサ２６及び下段コンデンサ２７を押圧した時の形状として、外観基準位置Ｐを超えない範囲の変形を許容する形状に形成されている。
【００３２】
弾性押圧部３６は、単なる蛇腹形状ではなく、上段コンデンサ２６に接触する中央部４０が上段コンデンサ２６側に大きく凸となるように形成されている。また、中央部４０の両側となる一対の中央近傍部４１が上段コンデンサ２６側に小さな凸となるように形成されている。弾性押圧部３６は、略蛇腹状となる形状であることから、弾性変形し易くなっている。中央近傍部４１とカバー本体３３の端部との間の傾斜平板部４２は、カバー本体３３の端部の方が位置が高く、中央近傍部４１に向けて傾斜するように形成されている。
【００３３】
係止部３４、３５は、壁３７の外面に形成される係止突起４３に係止される係止部４４を有している（二つずつ形成されているが、この数は一例であるものとする）。係止突起４３は、略爪状の突起として形成されている。また、係止部４４は、矩形に貫通する形状に形成されている。
【００３４】
係止部３４、３５の各内面には、挟持部３８が配置形成されている。また、平板部４２の内面であってカバー本体３３の端部近傍には、挟持部３８と対になる挟持部３９が配置形成されている。挟持部３８は、係止部３４側がリブ状となる形状に形成されている。一方、係止部３５側は平面となる形状（リブなし形状）に形成されている（リブ有り無しは任意であるものとする）。挟持部３９は、略短冊片状となる形状に形成されている（挟持部３８、３９の組数は一例であるものとする）。挟持部３８、３９は、ケース２４の壁３７を挟持することができる間隔に配置形成されている。
【００３５】
上記構成及び構造において、電子部品内蔵ユニット２１を構成する各部材を組み付けるとともに、カバー２３をケース２４に組み付けると、カバー２３はこの弾性押圧部３６により、ケース２４内に収容された上段コンデンサ２６及び下段コンデンサ２７をケース２４の底４５側に向けて押圧する（底４５に対して押し付ける状態にする）。
【００３６】
上段コンデンサ２６及び下段コンデンサ２７が寸法的に共に大きく形成されている場合、引用符号４６で示すスペースは小さくなることから、弾性押圧部３６は外観基準位置Ｐを超えない範囲で比較的大きく弾性変形しつつ上段コンデンサ２６及び下段コンデンサ２７を押圧する。これに対し、上段コンデンサ２６及び下段コンデンサ２７が寸法的に共に小さく形成されている場合には、スペース４６が大きくなることから、弾性押圧部３６は比較的小さく弾性変形しつつ上段コンデンサ２６及び下段コンデンサ２７を押圧する。いずれにしても上段コンデンサ２６及び下段コンデンサ２７は弾性押圧部３６によって押圧されることから、ガタ付きが抑制される。
【００３７】
以上、本発明のカバー２３を用いることにより、上段コンデンサ２６及び下段コンデンサ２７のガタ付きを抑制することができる。これにより、リードの溶接をし易くできるのは勿論のこと、電子部品内蔵ユニット２１を車両に搭載した後に外部から振動や衝撃が伝わった場合でも、上段コンデンサ２６及び下段コンデンサ２７の振れを抑制することができる。従って、溶接部分への負荷を低減することや、異音の発生を防止することができる。
【実施例２】
【００３８】
以下、図面を参照しながら第２実施例を説明する。図６は本発明のカバーを含む電子部品内蔵ユニットの斜視図である。また、図７及び図８は本発明のカバーの図、図９は弾性押圧部の位置での電子部品内蔵ユニットの断面図である。尚、上記第１実施例と同一の構成部材には同一の符号を付して詳細な説明を省略する。
【００３９】
図６において、電子部品内蔵ユニット２１は、上記第１実施例の電子部品内蔵ユニット２１（図１ないし図３参照）に対しカバー２３をカバー５１に替えた以外は基本的に同じ構成及び構造になっている。以下、カバー５１について説明をする。
【００４０】
図６ないし図９において（主に図７及び図８において）、本発明のカバー５１は、ケース２４における電子部品収納凹部２５の開口を覆い、且つケース２４に対して着脱自在となる合成樹脂製の部材であって、カバー本体５２と、このカバー本体５２の両側に設けられる係止部５３、５４とを有している。また、カバー５１は、電子部品収納凹部２５に収容された上段コンデンサ２６を直接押圧するとともに、下段コンデンサ２７を間接的に押圧する弾性押圧部５５を有している。さらに、カバー５１は、ケース２４の壁３７を挟持する挟持部５６、５７を複数組有している。以下、もう少し詳しく説明をする。
【００４１】
カバー本体５２は、電子部品収納凹部２５の開口を覆う部分であって、略平板状に形成されている。この内面には、低背のリブ５８が複数形成されている。カバー本体５２における一方の側部中央には、ヒンジ５９を介して弾性押圧部５５が連成されている。これに対してカバー本体５２における他方の側部中央には、上記内面側に突出する枠状係止部６０が形成されている。弾性押圧部５５は、ヒンジ５９の部分でカバー本体５２の内面側に折り返し、且つ先端６１を枠状係止部６０に係止させると、略ブリッジ状となる形状に形成されている。弾性押圧部５５は、カバー本体５２の内面に当接する範囲で弾性変形可能に形成されている。尚、カバー本体５２の外面は、外観基準位置Ｐ（図２参照）に合うように平坦な面として形成されている。
【００４２】
係止部５３、５４は、壁３７の外面に形成される係止突起４３に係止される係止部６２を有している（二つずつ形成されているが、この数は一例であるものとする）。係止部６２は、矩形に貫通する形状に形成されている。
【００４３】
係止部５３、５４の各内面には、挟持部５６が配置形成されている。また、カバー本体５２の内面であってカバー本体５２の端部近傍には、挟持部５６と対になる挟持部５７が配置形成されている。挟持部５６は、係止部５３側がリブ状となる形状に形成されている。一方、係止部５４側は平面となる形状（リブなし形状）に形成されている（リブ有り無しは任意であるものとする）。挟持部５７は、略短冊片状となる形状に形成されている（挟持部５６、５７の組数は一例であるものとする）。挟持部５６、５７は、ケース２４の壁３７を挟持することができる間隔に配置形成されている。
【００４４】
上記構成及び構造において、電子部品内蔵ユニット２１を構成する各部材を組み付けるとともに、カバー５１をケース２４に組み付けると、カバー５１はこの弾性押圧部５５により、ケース２４内に収容された上段コンデンサ２６及び下段コンデンサ２７をケース２４の底４５側に向けて押圧する（底４５に対して押し付ける状態にする）。
【００４５】
上段コンデンサ２６及び下段コンデンサ２７が寸法的に共に大きく形成されている場合、引用符号４６で示すスペースは小さくなることから、弾性押圧部５５は比較的大きく弾性変形しつつ上段コンデンサ２６及び下段コンデンサ２７を押圧する。これに対し、上段コンデンサ２６及び下段コンデンサ２７が寸法的に共に小さく形成されている場合には、スペース４６が大きくなることから、弾性押圧部５５は比較的小さく弾性変形しつつ上段コンデンサ２６及び下段コンデンサ２７を押圧する。いずれにしても上段コンデンサ２６及び下段コンデンサ２７は弾性押圧部５５によって押圧されることから、ガタ付きが抑制される。
【００４６】
以上、本発明のカバー５１を用いることにより、上段コンデンサ２６及び下段コンデンサ２７のガタ付きを抑制することができる。これにより、リードの溶接をし易くできるのは勿論のこと、電子部品内蔵ユニット２１を車両に搭載した後に外部から振動や衝撃が伝わった場合でも、上段コンデンサ２６及び下段コンデンサ２７の振れを抑制することができる。従って、溶接部分への負荷を低減することや、異音の発生を防止することができる。
【００４７】
この他、上記第１実施例及び第２実施例の効果を挙げると、上段コンデンサ２６及び下段コンデンサ２７のガタ付きを抑制することで、上段コンデンサ２６及び下段コンデンサ２７を所定の位置・角度になるように手直しする必要や矯正をする必要がなく、手間を省くことができる（工数削減を図ることができる）。カバー２３、５１は、複雑な形状でないことから簡素な金型構造にすることができる。また、カバー２３、５１は、一部品であることから部品点数の増大を抑制することができる。
【００４８】
本発明は本発明の主旨を変えない範囲で種々変更実施可能なことは勿論である。
【００４９】
本発明は、部品を収容する筐体の開口を覆い、且つ筐体に対して着脱自在となるとともに、弾力性を有して部品を押圧する弾性押圧部を設けてなるカバーであれば、自動車等の電子部品内蔵ユニット２１以外にも適用可能であるものとする（例えば家電品の分野等にも適用可能であるものとする）。本発明は、自動車の分野に適用する場合、電気接続箱（Ｊ／Ｂ：ジャンクションボックスや、Ｒ／Ｂ：リレーボックス、ＥＣＵ等の車両用電気部品内蔵機器）に対して適用可能であるものとする。
【符号の説明】
【００５０】
２１…電子部品内蔵ユニット
２２…電線
２３…カバー
２４…ケース（筐体）
２５…電子部品収納凹部２５
２６…上段コンデンサ（部品）
２７…下段コンデンサ（部品）
２８…アース端子
２９…溶接部分カバー
３０…樹脂係止部
３１…端子カバー
３２…嵌合接続凹部
３３…カバー本体
３４、３５…係止部
３６…弾性押圧部
３７…壁
３８、３９…挟持部
４０…中央部
４１…中央近傍部
４２…傾斜平板部
４３…係止突起
４４…係止部
４５…底
４６…スペース
５１…カバー
５２…カバー本体
５３、５４…係止部
５５…弾性押圧部
５６、５７…挟持部
５８…リブ
５９…ヒンジ
６０…枠状係止部
６１…先端
６２…係止部
Ｐ…外観基準位置
【図１】
0005496560.tif 000002
【図２】
0005496560.tif 000003
【図３】
0005496560.tif 000004
【図４】
0005496560.tif 000005
【図５】
0005496560.tif 000006
【図６】
0005496560.tif 000007
【図７】
0005496560.tif 000008
【図８】
0005496560.tif 000009
【図９】
0005496560.tif 000010
【図１０】
0005496560.tif 000011